(57)【要約】      （修正有）【課題】複数の二次電池または複数の単位電池を有する複数の電池集合体の間に１つまたは複数の安全スイッチが形成されても、複数の二次電池または電池集合体それぞれの電圧を正確に測定することが可能なバッテリーパックを提供する。【解決手段】複数の二次電池Ｂと、複数の二次電池のうち隣接する２つの二次電池の間に連結される１つまたは複数の安全スイッチ２００と、複数の二次電池それぞれの電圧を測定するための複数のセンシング線Ｗとを含み、センシング線の数は、二次電池の数と安全スイッチの数とを合わせた値に１を加算した数と同一であるバッテリーパックが提供される。【選択図】図２ａ
2008235242.tif 000002
【特許請求の範囲】
【請求項１】
複数の二次電池と；
前記複数の二次電池のうち隣接する２つの二次電池の間に連結される１つまたは複数の安全スイッチと；
前記複数の二次電池それぞれの電圧を測定するための複数のセンシング線と；
を含み、
前記センシング線の数は、前記二次電池の数と前記安全スイッチの数とを合わせた値に１を加算した数と同一であることを特徴とする、バッテリーパック。
【請求項２】
前記複数の二次電池は、直列連結されることを特徴とする、請求項１に記載のバッテリーパック。
【請求項３】
前記複数のセンシング線は、前記複数の二次電池が連結される領域および前記二次電池と安全スイッチとが連結される領域にそれぞれ連結されることを特徴とする、請求項１に記載のバッテリーパック。
【請求項４】
前記複数の二次電池の間には、電池隔壁が位置することを特徴とする、請求項１に記載のバッテリーパック。
【請求項５】
前記電池隔壁は絶縁物質であることを特徴とする、請求項４に記載のバッテリーパック。
【請求項６】
前記複数のセンシング線は、前記複数の二次電池それぞれの電圧を測定し、前記複数の二次電池の充放電を制御する電池管理システムに連結されることを特徴とする、請求項１に記載のバッテリーパック。
【請求項７】
前記電池管理システムは、
前記センシング線に連結され、前記複数の二次電池それぞれの電圧を測定する１つまたは複数の電池電圧測定部と；
前記測定された電圧によって充放電を制御する制御部と；
を含むことを特徴とする、請求項６に記載のバッテリーパック。
【請求項８】
前記制御部は、
前記測定された電圧によって制御信号を生成する制御信号生成部と；
前記制御信号によって前記複数の二次電池と外部端子とを遮断するスイッチング部と；
を含むことを特徴とする、請求項７に記載のバッテリーパック。
【請求項９】
複数の単位電池を有する複数の電池集合体と；
前記複数の電池集合体のうち隣接する２つの電池集合体の間に連結される１つまたは複数の安全スイッチと；
前記複数の電池集合体それぞれの電圧を測定するための複数のセンシング線と；
を含み、
前記センシング線の数は、前記電池集合体の数と前記安全スイッチの数とを合わせた値に１を加算した数と同一であることを特徴とする、バッテリーパック。
【請求項１０】
前記複数の電池集合体は直列連結されることを特徴とする、請求項９に記載のバッテリーパック。
【請求項１１】
前記複数のセンシング線は、前記複数の電池集合体が連結される領域および前記電池集合体と安全スイッチとが連結される領域にそれぞれ連結されることを特徴とする、請求項９に記載のバッテリーパック。
【請求項１２】
前記複数のセンシング線は、前記複数の電池集合体それぞれの電圧を測定し、前記複数の電池集合体の充放電を制御する電池管理システムに連結されることを特徴とする、請求項９に記載のバッテリーパック。
【請求項１３】
前記電池管理システムは、
前記センシング線に連結され、前記複数の電池集合体それぞれの電圧を測定する１つまたは複数の電池電圧測定部と；
前記測定された電圧によって充放電を制御する制御部と；
を含むことを特徴とする、請求項１２に記載のバッテリーパック。
【請求項１４】
前記制御部は、
前記測定された電圧によって制御信号を生成する制御信号生成部と；
前記制御信号によって前記複数の電池集合体と外部端子とを遮断するスイッチング部と；
を含むことを特徴とする、請求項１３に記載のバッテリーパック。
【請求項１５】
前記複数の電池集合体それぞれは、同じ電圧を出力することを特徴とする、請求項９に記載のバッテリーパック。
【請求項１６】
前記複数の単位電池の間には電池隔壁が位置することを特徴とする、請求項９に記載のバッテリーパック。
【請求項１７】
前記電池隔壁は絶縁物質であることを特徴とする、請求項１６に記載のバッテリーパック。
【請求項１８】
前記複数の単位電池は直列に連結され、前記複数の電池集合体は並列に連結されることを特徴とする、請求項９に記載のバッテリーパック。
【請求項１９】
複数の二次電池と；
前記複数の二次電池のうち隣接する２つの二次電池の間に連結される１つまたは複数の安全スイッチと；
前記安全スイッチの両端に連結される第１センシング線と；
を含むことを特徴とする、バッテリーパック。
【請求項２０】
前記複数の二次電池が連結される領域に連結される複数の第２センシング線をさらに含むことを特徴とする、請求項１９に記載のバッテリーパック。
【請求項２１】
前記第１センシング線の数と第２センシング線の数とを合わせた値は、前記二次電池の数と前記安全スイッチの数とを合わせた数に１を加算した値と同一であることを特徴とする、請求項２０に記載のバッテリーパック。
【請求項２２】
前記複数の二次電池は、ｎ個の電池集合体に分けられ、前記ｎ個の電池集合体が連結される領域に連結される第３センシング線をさらに含むことを特徴とする、請求項１９に記載のバッテリーパック。
【請求項２３】
前記第１センシング線の数と前記第３センシング線の数とを合わせた値は、前記電池集合体の数と前記安全スイッチの数とを合わせた数に１を加算した値と同一であることを特徴とする、請求項２２に記載のバッテリーパック。
【請求項２４】
前記複数の二次電池に連結され、前記複数の二次電池それぞれの電圧を測定して充放電を制御する電池管理システムをさらに含むことを特徴とする、請求項２３に記載のバッテリーパック。
【請求項２５】
前記電池管理システムは、
前記センシング線に連結され、前記複数の二次電池それぞれの電圧を測定する１つまたは複数の電池電圧測定部と；
前記測定された電圧によって充放電を制御する制御部と；
を含むことを特徴とする、請求項２４に記載のバッテリーパック。
【請求項２６】
前記制御部は、
前記測定された電圧によって制御信号を生成する制御信号生成部と；
前記制御信号によって前記複数の二次電池と外部端子とを遮断するスイッチング部と；
を含むことを特徴とする、請求項２５に記載のバッテリーパック。
【発明の詳細な説明】
【技術分野】
【０００１】
本発明は、バッテリーパックに関し、より詳細には、複数の二次電池または複数の単位電池を有する複数の電池組立体と、１つまたは複数の安全スイッチとを含むバッテリーパックにおいて、複数の二次電池または電池組立体それぞれの電圧を正確に測定することができるバッテリーパックに関する。
【背景技術】
【０００２】
近年、携帯電話、ノートパソコン、カムコーダーなどのコンパクトでかつ軽量化された携帯用電子／電気機器が普及している。これらの携帯用電子／電気機器には、バッテリーパックが内臓され、携帯用電子／電気機器は、別途の外部電源を必要とせずに動作することができる。携帯用電子／電気機器には、経済的な側面を考慮して、例えば、ニッケル−カドミウム（Ｎｉ−Ｃｄ）電池、ニッケル−水素（Ｎｉ−ＭＨ）電池およびリチウム（Ｌｉ）電池など、充放電が可能な二次電池を利用したバッテリーパックが一般的に使われる。
【０００３】
二次電池のうち、リチウム二次電池は、ニッケル−カドミウム二次電池またはニッケル−水素二次電池に比べて作動電圧が３倍程度高く、単位重量当たりのエネルギー密度が高いため、携帯用電子／電気機器に広く使われている。リチウム二次電池は、使用する電解質の種類によって、例えば、液体電解質を使用するリチウムイオン電池と、高分子電解質を使用するリチウムポリマー電池とに分類され、また、製造される形状によって、例えば、円筒形状、角形状およびポーチ形状に分類することができる。
【０００４】
また、携帯用電子／電気機器のうち、高電圧または充電無しに長時間使用する可能性が高い携帯用電子／電気機器の場合には、単一の二次電池で充分の電圧または容量を提供することができないので、複数の二次電池または複数の単位電池を有する複数の電池集合体を直列または並列連結してバッテリーパックを構成する。
【０００５】
上記のように、複数の二次電池または複数の単位電池を有する複数の電池集合体を含むバッテリーパックは、数回繰り返して充電して使用する間に、複数の二次電池または単位電池が異なるエネルギー水準で充電されるようになる。すなわち、複数の二次電池または単位電池は、異なるエネルギー水準で放電されるので、再充電する場合、相対的に高いエネルギーを有する二次電池または単位電池は、相対的に低いエネルギーを有する二次電池または単位電池より短時間内に充電が完了されるようになる。したがって、相対的に低いエネルギーを有する二次電池または単位電池は、不完全に充電された状態で放電を始めるようになり、過放電される危険が大きく、また、不完全な充電と過放電が繰り返されることにより損傷する可能性が高い。
【０００６】
上記の問題を解決するために、複数の二次電池または電池集合体を含むバッテリーパックは、例えば、複数の二次電池または電池集合体それぞれの電圧を測定して充放電を制御する電池管理システム（Battery  Management  System；ＢＭＳ）を含む。
【０００７】
図１は、従来技術に係るバッテリーパックの一部を示す説明図である。図１を参照すると、従来技術に係るバッテリーパックは、ｎ個の二次電池または複数の単位電池を有するｎ個の電池集合体Ｂ’１〜Ｂ’ｎと、ｎ個の二次電池または電池集合体それぞれの電圧を測定するためのｎ＋１個のセンシング線Ｗ’１〜Ｗ’ｎ＋１と、ｎ＋１個のセンシング線Ｗ’１〜Ｗ’ｎ＋１に連結され、ｎ個の二次電池または電池集合体それぞれの電圧を測定し、充放電を制御する電池管理システム１０とを含む。ここで、上記ｎは、自然数である。
【０００８】
従来技術に係るバッテリーパックは、ｎ個の二次電池または電池集合体それぞれの電圧を測定するために必要なセンシング線を最小化するために、ｎ個の二次電池または電池集合体が連結される領域にセンシング線Ｗ’１〜Ｗ’ｎ＋１を連結しているので、合計ｎ＋１個のセンシング線Ｗ’１〜Ｗ’ｎ＋１を必要とする。
【０００９】
【特許文献１】大韓民国特許公開第２００６−９４８９７号明細書
【特許文献２】特開２００４−１８０３９７号公報
【特許文献３】特開２００６−１４４８０号公報
【特許文献４】大韓民国特許公開第２００６−５９６８０号明細書
【発明の開示】
【発明が解決しようとする課題】
【００１０】
しかしながら、上述した従来技術に係るバッテリーパックは、バッテリーパックの故障などの際に人為的に複数の二次電池または電池集合体に流れる電流を遮断することが可能な安全スイッチが複数の二次電池または電池集合体の間に連結される場合、当該安全スイッチに起因して、安全スイッチの両端に連結される二次電池または電池集合体の電圧が正確に測定されないという問題点がある。
【００１１】
本発明は、上記問題に鑑みてなされたものであり、本発明の目的とするところは、複数の二次電池または複数の単位電池を有する複数の電池集合体の間に１つまたは複数の安全スイッチが形成されても、複数の二次電池または電池集合体それぞれの電圧を正確に測定することが可能な、新規かつ改良されたバッテリーパックを提供することにある。
【課題を解決するための手段】
【００１２】
上記目的を達成するために、本発明の第１の観点によれば、複数の二次電池と、上記複数の二次電池のうち隣接する２つの二次電池の間に連結される１つまたは複数の安全スイッチと、上記複数の二次電池それぞれの電圧を測定するための複数のセンシング線とを含み、上記センシング線の数は、上記二次電池の数と上記安全スイッチの数とを合わせた値に１を加算した数と同一であるバッテリーパックが提供される。
【００１３】
また、上記複数の二次電池は、直列連結されるとしてもよい。
【００１４】
また、上記複数のセンシング線は、上記複数の二次電池が連結される領域および上記二次電池と安全スイッチとが連結される領域にそれぞれ連結されるとしてもよい。
【００１５】
また、上記複数の二次電池の間には、電池隔壁が位置するとしてもよい。
【００１６】
また、上記電池隔壁は絶縁物質であるとしてもよい。
【００１７】
また、上記複数のセンシング線は、上記複数の二次電池それぞれの電圧を測定し、上記複数の二次電池の充放電を制御する電池管理システムに連結されるとしてもよい。
【００１８】
また、上記電池管理システムは、上記センシング線に連結され、上記複数の二次電池それぞれの電圧を測定する１つまたは複数の電池電圧測定部と、上記測定された電圧によって充放電を制御する制御部とを含むとしてもよい。
【００１９】
また、上記制御部は、上記測定された電圧によって制御信号を生成する制御信号生成部と、上記制御信号によって上記複数の二次電池と外部端子とを遮断するスイッチング部とを含むとしてもよい。
【００２０】
また、上記目的を達成するために、本発明の第２の観点によれば、複数の単位電池を有する複数の電池集合体と、上記複数の電池集合体のうち隣接する２つの電池集合体の間に連結される１つまたは複数の安全スイッチと、上記複数の電池集合体それぞれの電圧を測定するための複数のセンシング線とを含み、上記センシング線の数は、上記電池集合体の数と上記安全スイッチの数とを合わせた値に１を加算した数と同一であるバッテリーパックが提供される。
【００２１】
また、上記複数の電池集合体は直列連結されるとしてもよい。
【００２２】
また、上記複数のセンシング線は、上記複数の電池集合体が連結される領域および上記電池集合体と安全スイッチとが連結される領域にそれぞれ連結されるとしてもよい。
【００２３】
また、上記複数のセンシング線は、上記複数の電池集合体それぞれの電圧を測定し、上記複数の電池集合体の充放電を制御する電池管理システムに連結されるとしてもよい。
【００２４】
また、上記電池管理システムは、上記センシング線に連結され、上記複数の電池集合体それぞれの電圧を測定する１つまたは複数の電池電圧測定部と、上記測定された電圧によって充放電を制御する制御部とを含むとしてもよい。
【００２５】
また、上記制御部は、上記測定された電圧によって制御信号を生成する制御信号生成部と、上記制御信号によって上記複数の電池集合体と外部端子とを遮断するスイッチング部とを含むとしてもよい。
【００２６】
また、上記複数の電池集合体それぞれは、同じ電圧を出力するとしてもよい。
【００２７】
また、上記複数の単位電池の間には電池隔壁が位置するとしてもよい。
【００２８】
また、上記電池隔壁は絶縁物質であるとしてもよい。
【００２９】
また、上記複数の単位電池は直列に連結され、上記複数の電池集合体は並列に連結されるとしてもよい。
【００３０】
また、上記目的を達成するために、本発明の第３の観点によれば、複数の二次電池と、上記複数の二次電池のうち隣接する２つの二次電池の間に連結される１つまたは複数の安全スイッチと、上記安全スイッチの両端に連結される第１センシング線とを含むバッテリーパックが提供される。
【００３１】
また、上記複数の二次電池が連結される領域に連結される複数の第２センシング線をさらに含むとしてもよい。
【００３２】
また、上記第１センシング線の数と第２センシング線の数とを合わせた値は、上記二次電池の数と上記安全スイッチの数とを合わせた数に１を加算した値と同一であるとしてもよい。
【００３３】
また、上記複数の二次電池は、ｎ個の電池集合体に分けられ、上記ｎ個の電池集合体が連結される領域に連結される第３センシング線をさらに含むとしてもよい。
【００３４】
また、上記第１センシング線の数と上記第３センシング線の数とを合わせた値は、上記電池集合体の数と上記安全スイッチの数とを合わせた数に１を加算した値と同一であるとしてもよい。
【００３５】
また、上記複数の二次電池に連結され、上記複数の二次電池それぞれの電圧を測定して充放電を制御する電池管理システムをさらに含むとしてもよい。
【００３６】
また、上記電池管理システムは、上記センシング線に連結され、上記複数の二次電池それぞれの電圧を測定する１つまたは複数の電池電圧測定部と、上記測定された電圧によって充放電を制御する制御部とを含むとしてもよい。
【００３７】
また、上記制御部は、上記測定された電圧によって制御信号を生成する制御信号生成部と、上記制御信号によって上記複数の二次電池と外部端子とを遮断するスイッチング部とを含むとしてもよい。
【発明の効果】
【００３８】
本発明によれば、複数の二次電池または複数の単位電池を有する複数の電池集合体の間に１つまたは複数の安全スイッチが形成されても、複数の二次電池または電池集合体それぞれの電圧を正確に測定することができる。
【００３９】
より具体的には、本発明によれば、複数の二次電池または複数の単位電池を有する複数の電池集合体の間に連結される１つまたは複数の安全スイッチの両端、または安全スイッチと二次電池または電池集合体とが連結される領域にセンシング線を連結することによって、最小のセンシング線を介して複数の二次電池または電池集合体それぞれの電圧を全て正確に測定することができる。
【発明を実施するための最良の形態】
【００４０】
以下に添付図面を参照しながら、本発明の好適な実施の形態について詳細に説明する。なお、本明細書および図面において、実質的に同一の機能構成を有する構成要素については、同一の符号を付することにより重複説明を省略する。なお、図面において、層および領域の長さ、厚さなどは、説明の便宜上誇張されて表現したものであり、本発明の実施形態は、図面の構成に限られない。また、以下において、ある部分が他の部分と“連結”されているとするとき、これは、“直接的に連結”されている場合だけでなく、その中間に他の素子を介して“電気的に連結”されている場合をも含む。
【００４１】
（第１の実施形態）
図２ａは、本発明の第１の実施形態に係るバッテリーパックの一部を示す説明図であり、図２ｂは、本発明の第１の実施形態に係るバッテリーパックの電池管理システムを示す説明図である。
【００４２】
図２ａおよび図２ｂを参照すると、本発明の第１の実施形態に係るバッテリーパックは、ｍ個の二次電池Ｂ１〜Ｂｍと、ｍ個の二次電池Ｂ１〜Ｂｍのうち隣接する二次電池Ｂｎと二次電池Ｂｎ＋１との間に連結される安全スイッチ２００と、ｍ個の二次電池Ｂ１〜Ｂｍに連結される電池管理システム１００と、ｍ個の二次電池Ｂ１〜Ｂｍが連結される領域および二次電池Ｂｎまたは二次電池Ｂｎ＋１と安全スイッチ２００とが連結される領域と電池管理システム１００との間に連結されるセンシング線Ｗ１〜Ｗｍ＋２と、を含む。ここで、上記ｎ、ｍは、自然数であり、０＜ｎ＜ｎ＋１≦ｍである。ｍ個の二次電池Ｂ１〜Ｂｍは、図２Ａのように直列に連結することができるが、かかる構成に限られず、例えば、並列に連結されてもよい。また、ｍ個の二次電池Ｂ１〜Ｂｍの間には、例えば、電池隔壁（図示せず）が備えられ、ｍ個の二次電池Ｂ１〜Ｂｍ間の間隔を一定に維持することもできる。ここで、電池隔壁は、ｍ個の二次電池Ｂ１〜Ｂｍ間の短絡を防止するために、例えば、絶縁物質であることが好ましい。
【００４３】
電池管理システム１００は、センシング線Ｗ１〜Ｗｍ＋２に連結され、ｍ個の二次電池Ｂ１〜Ｂｍそれぞれの電圧を測定する１つまたは複数の電池電圧測定部１１０と、電池電圧測定部１１０で測定されたｍ個の二次電池Ｂ１〜Ｂｍそれぞれの電圧によって充放電を制御する制御部１５０とを含む。また、制御部１５０は、測定されたそれぞれの電圧によって制御信号を生成する制御信号生成部１２０と、制御信号によってｍ個の二次電池Ｂ１〜Ｂｍと外部端子とを遮断するスイッチング部１３０とを含む。ここで、図示してはいないが、より簡易な構成で処理速度を速めることが可能な制御部１５０を実現するために、電池電圧測定部１１０と制御部１５０との間にアナログ／デジタル変換部（図示せず）を配設し、電池電圧測定部１１０で測定したｍ個の二次電池Ｂ１〜Ｂｍそれぞれの電圧をデジタル信号に変換して制御部１５０に伝達することもできる。
【００４４】
電池電圧測定部１１０は、ｍ個の二次電池Ｂ１〜Ｂｍそれぞれの電圧をセンシング線Ｗ１〜Ｗｍ＋２を介して測定し、測定されたそれぞれの電圧を制御部１５０に伝達する。なお、本発明の第１の実施形態に係る電池管理システム１００では、電池電圧測定部１１０が１つで構成される場合を示しているが、本発明の実施形態に係る電池管理システムは、上記に限られず、例えば、ｍ個の二次電池にそれぞれ対応するように複数の電池電圧測定部を備えていてもよい。
【００４５】
制御部１５０は、制御信号生成部１２０およびスイッチング部１３０を介して電池電圧測定部１１０から伝達されたｍ個の二次電池Ｂ１〜Ｂｍそれぞれの電圧によって制御信号を生成し、制御信号によってｍ個の二次電池Ｂ１〜Ｂｍと外部端子との間に流れる電流を遮断し、ｍ個の二次電池Ｂ１〜Ｂｍの充放電を制御することによって、ｍ個の二次電池Ｂ１〜Ｂｍが過充電または過放電されることを防止する。より詳細には、制御信号生成部１２０は、電池電圧測定部１１０で測定されたｍ個の二次電池Ｂ１〜Ｂｍそれぞれの電圧と、設定された値とを比較し、設定された値の範囲から外れる場合、ｍ個の二次電池Ｂ１〜Ｂｍの充放電動作を停止するための制御信号を生成し、スイッチング部１３０に印加する。また、スイッチング部１３０は、制御信号によってｍ個の二次電池Ｂ１〜Ｂｍが外部端子に連結される大電流ラインに連結されたスイッチング素子をオフさせて、ｍ個の二次電池Ｂ１〜Ｂｍが過充電または過放電されることを防止する。
【００４６】
なお、本発明の実施形態に係る制御部は、上記に限られず、例えば、制御部１５０の構成を簡略化するために、電池電圧測定部１１０に複数のリレー（図示せず）、電池電圧伝達部（図示せず）、充電部（図示せず）、充電電圧伝達部（図示せず）および放電部（図示せず）などを含むこともできる。
【００４７】
センシング線Ｗ１〜Ｗｍ＋２は、電池電圧測定部１１０がｍ個の二次電池Ｂ１〜Ｂｍそれぞれの電圧を測定できるように、ｍ個の二次電池Ｂ１〜Ｂｍと電池電圧測定部１１０との間に連結され、最小の数量でｍ個の二次電池Ｂ１〜Ｂｍそれぞれの電圧を伝達するために、ｍ個の二次電池Ｂ１〜Ｂｍが連結される領域を電池電圧測定部１１０に連結し、隣接する２つの二次電池の電圧を３つのセンシング線を介して伝達する。
【００４８】
さらに詳細に説明すると、センシング線Ｗ１〜Ｗｍ＋２は、二次電池Ｂｎと二次電池Ｂｎ＋１との間に連結された安全スイッチ２００により二次電池Ｂｎの電圧または二次電池Ｂｎ＋１の電圧が誤って測定されることを防止するために、二次電池Ｂｎと安全スイッチ２００とが連結される領域および二次電池Ｂｎ＋１と安全スイッチ２００とが連結される領域にそれぞれセンシング線Ｗｎ＋１およびセンシング線Ｗｎ＋２を連結する。電池電圧測定部１１０は、二次電池Ｂｎの電圧を測定するために、二次電池Ｂｎと二次電池Ｂｎ−１とが連結される領域に連結されるセンシング線Ｗｎおよび二次電池Ｂｎと安全スイッチ２００とが連結される領域に連結されるセンシング線Ｗｎ＋１を介して伝達された電圧を利用することができる。また、電池電圧測定部１１０は、二次電池Ｂｎ＋１の電圧を測定するために、二次電池Ｂｎ＋１と安全スイッチ２００とが連結される領域に連結されるセンシング線Ｗｎ＋２および二次電池Ｂｎ＋１と二次電池Ｂｎ＋２とが連結される領域に連結されるセンシング線Ｗｎ＋３を介して伝達された電圧を利用することができる。
【００４９】
したがって、本発明の第１の実施形態に係るバッテリーパックは、二次電池Ｂｎと二次電池Ｂｎ＋１との間に連結された安全スイッチの両端にそれぞれセンシング線Ｗｎ＋１およびセンシング線Ｗｎ＋２を連結することによって、安全スイッチに連結される二次電池Ｂｎおよび二次電池Ｂｎ＋１の電圧を正確に測定することができる。
【００５０】
（第２の実施形態）
図３は、本発明の第２の実施形態に係るバッテリーパックの一部を示す説明図である。図３を参照すると、本発明の第２の実施形態に係るバッテリーパックは、複数の単位電池を有するｘ個の電池集合体Ｍ１〜Ｍｘと、ｘ個の電池集合体Ｍ１〜Ｍｘのうち隣接する電池集合体の間に連結されるｙ個の安全スイッチＳ１〜Ｓｙと、ｘ個の電池集合体Ｍ１〜Ｍｘに連結される電池管理システム１００と、ｘ個の電池組立体Ｍ１〜Ｍｘが連結される領域および上記電池組立体Ｍ１〜Ｍｘと安全スイッチＳ１〜Ｓｙとが連結される領域と電池管理システム１００との間に連結されるセンシング線Ｌ１〜Ｌｘ＋ｙ＋１とを含む。ここで、ｘ、ｙは、自然数である。ｘ個の電池集合体Ｍ１〜Ｍｘに備えられる複数の単位電池は、複数の二次電池とすることができる。また、電池管理システム１００は、図２ａおよび図２ｂに示された本発明の第１の実施形態の説明と同様なので、ここでは説明を省略する。
【００５１】
ｘ個の電池集合体Ｍ１〜Ｍｘおよびｘ個の電池集合体Ｍ１〜Ｍｘに備えられた単位電池は、図３のように直列に連結することができるが、かかる構成に限られず、例えば、ｘ個の電池集合体Ｍ１〜Ｍｘおよび複数の単位電池が全て並列連結されたり、または、ｘ個の電池集合体Ｍ１〜Ｍｘまたは複数の単位電池のうちいずれか１つが直列に連結され、残りは、並列に連結されることができる。また、ｘ個の電池集合体Ｍ１〜Ｍｘに備えられたそれぞれの単位電池の間および最外側には、例えば、電池隔壁（図示せず）が配設されて、複数の単位電池間の間隔を一定に維持し、側面を支持することができる。また、複数の単位電池間の短絡を防止するために、電池隔壁は、例えば、絶縁物質であることが好ましい。
【００５２】
センシング線Ｌ１〜Ｌｘ＋ｙ＋１は、ｘ個の電池集合体Ｍ１〜Ｍｘのうち隣接する２つの電池集合体が連結される領域およびｘ個の電池集合体Ｍ１〜Ｍｘの間に連結されたｙ個の安全スイッチＳ１〜Ｓｙの両端を電池管理システム１００に連結する。
【００５３】
より詳細に説明すると、センシング線Ｌ１〜Ｌｘ＋ｙ＋１は、電池集合体Ｍｉと電池集合体Ｍｉ＋１との間に連結された安全スイッチＳ１の両端にそれぞれセンシング線Ｌｉ＋１およびセンシング線Ｌｉ＋２が連結される。ここで、上記ｉは、ｘより小さい自然数である。電池管理システム１００は、電池集合体Ｍｉの電圧を測定するために、電池集合体Ｍｉと電池集合体Ｍｉ−１とが連結される領域に連結されるセンシング線Ｌｉおよび電池集合体Ｍｉと安全スイッチＳ１とが連結される領域に連結されるセンシング線Ｌｉ＋１を介して伝達された電圧を利用することができる。また、電池管理システム１００は、電池集合体Ｍｉ＋１の電圧を測定するために、電池集合体Ｍｉ＋１と安全スイッチＳ１とが連結される領域に連結されるセンシング線Ｌｉ＋２および電池集合体Ｍｉ＋１と電池集合体Ｍｉ＋２とが連結される領域に連結されるセンシング線Ｌｉ＋３を介して伝達された電圧を利用することができる。
【００５４】
次に、ｘ個の電池集合体Ｍ１〜Ｍｘのうち電池集合体Ｍｋと電池集合体Ｍｋ＋１との間に連結された安全スイッチＳｙの両端にそれぞれセンシング線Ｌｋ＋ｙおよびセンシング線Ｌｋ＋ｙ＋１が連結される。ここで、ｋは、ｉ＜ｋ＜ｘの自然数である。上述したように、電池管理システム１００は、電池集合体Ｍｋの電圧を測定するために、電池集合体Ｍｋと電池集合体Ｍｋ−１とが連結される領域に連結されるセンシング線Ｌｋ＋ｙ−１および電池集合体Ｍｋと安全スイッチＳｙとが連結される領域に連結されるセンシング線Ｌｋ＋ｙを介して伝達された電圧を利用することができる。また、電池管理システム１００は、電池集合体Ｍｋ＋１の電圧を測定するために、電池集合体Ｍｋ＋１と安全スイッチＳｙとが連結される領域に連結されるセンシング線Ｌｋ＋ｙ＋１および電池集合体Ｍｋ＋１と電池集合体Ｍｋ＋２とが連結される領域に連結されるセンシング線Ｌｋ＋ｙ＋２を伝達された電圧を利用することができる。
【００５５】
このように、本発明の第２の実施形態に係るバッテリーパックは、ｙ個の安全スイッチＳ１〜Ｓｙの両端にセンシング線Ｌ１〜Ｌｘ＋ｙ＋１をそれぞれ連結し、ｘ個の電池集合体Ｍ１〜Ｍｘのうち安全スイッチＳ１〜Ｓｙに連結される電池集合体の電圧が誤って測定されることを防止しているので、センシング線Ｌ１〜Ｌｘ＋ｙ＋１の数は、電池集合体Ｍ１〜Ｍｘの数であるｘと安全スイッチＳ１〜Ｓｙの数であるｙとを合わせた値に１を加算したｘ＋ｙ＋１となる。
【００５６】
したがって、本発明の第２の実施形態に係るバッテリーパックは、複数の単位電池を有する複数の電池集合体の間に連結される複数の安全スイッチの両端にそれぞれセンシング線を連結し、電池集合体の数と安全スイッチングの数とを合わせた値に１を加算した数だけのセンシング線を利用することによって、最小のセンシング線を介して複数の電池集合体それぞれの電圧を正確に測定することができる。
【００５７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５８】
【図１】従来技術に係るバッテリーパックの一部を示す説明図である。
【図２ａ】本発明の第１の実施形態に係るバッテリーパックの一部を示す説明図である。
【図２ｂ】本発明の第１の実施形態に係るバッテリーパックの電池管理システムを示す説明図である。
【図３】本発明の第２の実施形態に係るバッテリーパックの一部を示す説明図である。
【符号の説明】
【００５９】
１００    電池管理システム
１１０    電池電圧測定部
１２０    制御信号生成部
１３０    スイッチング部
１５０    制御部
【図１】
2008235242.tif 000003
【図２ａ】
2008235242.tif 000004
【図２ｂ】
2008235242.tif 000005
【図３】
2008235242.tif 000006